(57)【要約】【課題】  誤動作を防止することが可能なパンチ切換装置を提供する。【解決手段】  第１前進面と、第１前進面と平行であり、第１前進面に垂直な方向に第１前進面から所定の距離後退し、第１前進面に平行な方向に第１前進面と一部重複した第１後退面と、第１前進面と第１後退面とに接続し、第１前進面となす角が第１鋭角である第１斜面とを有し、突出位置及び退避位置に動作するフロートピンと、フロートピンに対向する面に、第２前進面と、第２前進面と平行であり、第２前進面に垂直な方向に第２前進面から所定の距離後退し、第２前進面に平行な方向に第２前進面と一部重複した第２後退面と、第２前進面と第２後退面とに接続し、第２前進面となす角が第１鋭角である第２斜面とを有し、第１位置及び第２位置に動作するスライドプレートとを有し、スライドプレートが第２位置の場合に、第１斜面と第２斜面とが係合している。【選択図】  図１
2019195819.tif 000002
【特許請求の範囲】
【請求項１】
第１面に、第１前進面と、前記第１前進面と平行であり、前記第１前進面に垂直な方向に前記第１前進面から所定の距離後退し、前記第１前進面に平行な方向に前記第１前進面と一部重複した第１後退面と、前記第１前進面と前記第１後退面とを接続し、前記第１前進面となす角が所定の第１鋭角である第１斜面と、を有し、突出位置及び退避位置に往復動作可能なフロートピンと、
前記フロートピンの第１面に対向する面に、第２前進面と、前記第２前進面と平行であり、前記第２前進面に垂直な方向に前記第２前進面から前記所定の距離後退し、前記第２前進面に平行な方向に前記第２前進面と一部重複した第２後退面と、前記第２前進面と前記第２後退面とを接続し、前記第２前進面となす角が前記第１鋭角である第２斜面と、を有し、第１位置及び第２位置に往復動作可能なスライドプレートと、
を有し、
前記スライドプレートが前記第１位置で前記フロートピンは突出位置であり、前記スライドプレートが前記第２位置で前記フロートピンは退避位置であり、
前記スライドプレートが前記第２位置で、前記フロートピンの前記第１斜面と、前記スライドプレートの前記第２斜面とが係合した、ことを特徴とするパンチ切換装置。
【請求項２】
前記フロートピンは、前記第１前進面と接続し、前記第１前進面となす角が所定の第２鋭角である第３斜面と、前記第１後退面と接続し、前記第３斜面と平行であり、前記第1後退面となす角が前記第２鋭角である第５斜面と、をさらに有し、
前記スライドプレートは、前記第２前進面と接続し、前記第２前進面となす角が前記第２鋭角である第４斜面と、前記第２後退面と接続し、前記第４斜面と平行であり、前記第２後退面となす角が前記第２鋭角である第６斜面と、をさらに有し、
前記スライドプレートの前記第２位置から前記第１位置への動作時に、前記第３斜面と前記第６斜面が当接し、前記第５斜面と前記第４斜面が当接し、前記フロートピンを前記突出位置の方向へ付勢した、請求項１に記載のパンチ切換装置。
【請求項３】
前記フロートピンは、前記第５斜面と接続し、前記第１前進面と面一である第３前進面を有し、
前記スライドプレートは、前記第６斜面と接続し、前記第２前進面と面一である第４前進面を有し、
前記スライドプレートが前記第１位置で、前記第１前進面と前記第４前進面とが当接し、前記第３前進面と前記第２前進面とが当接し、前記フロートピンを前記突出位置に維持した、請求項２に記載のパンチ切換装置。
【請求項４】
前記第１鋭角は、40°以上80°以下である請求項１から３のいずれかに記載のパンチ切換装置。
【請求項５】
前記第１鋭角は、50°以上70°以下である請求項１から３のいずれかに記載のパンチ切換装置。
【請求項６】
前記第１鋭角は、ほぼ60°である請求項１から３のいずれかに記載のパンチ切換装置。
【請求項７】
前記第２鋭角は、前記第１鋭角より小さい、請求項２に記載のパンチ切換装置。
【請求項８】
前記第２鋭角は、前記第１鋭角の半分以下である、請求項２に記載のパンチ切換装置。
【請求項９】
前記スライドプレートを前記第１位置及び前記第２位置に駆動するための駆動部をさらに有する請求項１から８のいずれかに記載のパンチ切換装置。
【請求項１０】
前記フロートピンを前記退避位置の方向へ付勢するための付勢部をさらに有する請求項１から９のいずれかに記載のパンチ切換装置。
【発明の詳細な説明】
【技術分野】
【０００１】
本発明は、パンチ切換装置に関するものである。
【背景技術】
【０００２】
パンチ切換装置は、プレス金型等に取り付けられ、被加工物に孔を開けるように又は開けないようにパンチの打分けを切り換えることが可能な装置である。パンチ切換装置は、被加工物に孔を開けない場合に、パンチを退避位置に保持する。
【０００３】
特許文献１には、カム板が前進あるいは後進することによりパンチホルダーを強制的に上方へ移動させる移動部を設けてなるパンチリテーナー装置が開示されている。
【先行技術文献】
【特許文献】
【０００４】
【特許文献１】特開2001-300649号公報
【発明の概要】
【発明が解決しようとする課題】
【０００５】
しかしながら、特許文献１の装置は、カム板の下方に備わるスライド板が、溝に係合することにより強制的にパンチホルダーを固定するものであるので、カム板とスライド板は別部品となり、部品点数が増えてコストが増える。
【０００６】
本発明は、このような従来の問題を解決するためになされたもので、誤動作を防止するとともに、部品点数を削減することが可能なパンチ切換装置を提供することにある。
【課題を解決するための手段】
【０００７】
本発明のパンチ切換装置は、第１面に、第１前進面と、第１前進面と平行であり、第１前進面に垂直な方向に第１前進面から所定の距離後退し、第１前進面に平行な方向に第１前進面と一部重複した第１後退面と、第１前進面と第１後退面とに接続し、第１前進面となす角が所定の第１鋭角である第１斜面と、を有し、突出位置及び退避位置に往復可能なフロートピンと、フロートピンの第１面に対向する面に、第２前進面と、第２前進面と平行であり、第２前進面に垂直な方向に第２前進面から所定の距離後退し、第２前進面に平行な方向に第２前進面と一部重複した第２後退面と、第２前進面と第２後退面とに接続し、第２前進面となす角が所定の第１鋭角である第２斜面と、を有し、第１位置及び第２位置に往復可能なスライドプレートと、を有し、スライドプレートが第１位置で、フロートピンは突出位置であり、スライドプレートが第２位置で、フロートピンは退避位置であり、スライドプレートが第２位置の場合に、フロートピンの第１斜面と、スライドプレートの第２斜面とが係合している。
【図面の簡単な説明】
【０００８】
【図１】パンチ切換装置を示す図である。
【図２】フロートピンの構成を示す図である。
【図３】スライドプレートの構成を示す図である。
【図４】パンチ切換装置の動作を示す図である。
【発明を実施するための形態】
【０００９】
以下、実施形態であるパンチ切換装置について、図を参照して詳細に説明をする。
【００１０】
図１は、実施形態のパンチ切換装置１を示す図である。図１（ａ）は、正面図（一部断面図）であり、図１（ｂ）は、底面図である。
【００１１】
図１に示すように、実施形態のパンチ切換装置１は、スライドプレート１０、フロートピン２０、ケーシング３０、シリンダ４０、及び、付勢部５０で構成される。
【００１２】
スライドプレート１０は、ケーシング３０の内部に収容される。スライドプレート１０は、シリンダ４０により、図中のＡ方向に往復動作する。
【００１３】
フロートピン２０は、ケーシング３０の内部に収容される。フロートピン２０は、付勢部５０により、上方向に付勢され、スライドプレート１０の往復動作により、図中のＢ方向に往復動作する。
【００１４】
図３は、スライドプレート１０の構成を示す図である。図３（ａ）は正面図であり、図３（ｂ）は底面図である。
【００１５】
図に示すように、スライドプレート１０の下面には、図の右から順に、斜面１０ｈ（第４斜面）、面１０ａ（第２前進面）、斜面１０ｅ（第２斜面）、面１０ｃ（第２後退面）、斜面１０ｄ（第６斜面）、及び、面１０ｂ（第４前進面）の順で、各面が連続して配置される。
【００１６】
スライドプレート１０は、下面に、フロートピン２０の上面の面２０ａと摺動し、フロートピン２０の上面の面２０ｃと当接する面１０ａを有する。面１０ａの動作方向（図１のＡ方向）の幅は、フロートピン２０の面２０ｃの幅と同一である。
【００１７】
スライドプレート１０は、下面に、フロートピン２０の上面の面２０ｅとの摺動面及び当接面となる面１０ｂを有する。面１０ｂは面１０ａとは、二面の間に段差がなく、いわゆる面一に配置されている。
【００１８】
スライドプレート１０は、下面に、フロートピン２０の上面の面２０ｅとの当接面となる面１０ｃを有する。面１０ｃは面１０ａと平行である。面１０ｃと面１０ａは、面１０ａに平行な方向に一部重複している。面１０ｃは、面１０ａに垂直な方向に、面１０ａ及び面１０ｂに対して、図中の幅ｈだけ後退した位置にある。
【００１９】
スライドプレート１０は、下面に、フロートピン２０の上面の面２０ｆと摺動面となり当接面となる斜面１０ｄを有する。斜面１０ｄが面１０ｃとなす劣角は図中のＢ（第２鋭角）である。
【００２０】
スライドプレート１０は、下面に、フロートピン２０の上面の面２０ｄとの接触面となる斜面１０ｅを有する。斜面１０ｅは面１０ａと面１０ｃを接続する。面１０ｃと面１０ａは、面１０ａに平行な方向に一部重複しているため、斜面１０ｅは、内側に傾斜面を向けた面となる。斜面１０ｅが面１０ｃと面１０ａとなす劣角は図中のＡ（第１鋭角）である。
【００２１】
スライドプレート１０は、側面に、シリンダ４０のロッド先端の固定部となる面１０ｆを有する。スライドプレート１０は、上面にケーシング３０の内部との摺動面となる面１０ｇを有する。
【００２２】
スライドプレート１０は、下面に、フロートピン２０の上面の面２０ｂとの摺動面となり当接面となる斜面１０ｈを有する。斜面１０ｈが面１０ａとなす劣角（第２鋭角）は図中のＢである。斜面１０ｄと斜面１０ｈとは平行である。
【００２３】
ここで、スライドプレート１０の斜面１０ｅと面１０ｃがなす第１鋭角の角度Ａは、40°以上80°以下、好ましくは50°以上70°以下、さらに好ましくは、ほぼ60°である。
【００２４】
また、スライドプレート１０の面１０ｃと斜面１０ｄ等がなす第２鋭角の角度Ｂは、角度Ａより小さくすることが好ましい。これにより、スライドプレート１０が図４（ａ）に示す位置（第１位置）から図４（ｂ）へ示す位置（第２位置）へ移動する際に、スライドプレート１０の突起部１１が、フロートピン２０の空間部２２にスムーズに侵入して、突起部１１と空間部２２とが嵌合し、フロートピン２０の突起部２１が、スライドプレート１０の空間部１２にスムーズに侵入して、突起部２１と空間部１２とが嵌合することが可能となる。
【００２５】
好ましくは、第２鋭角の角度Ｂは、第１鋭角の角度Ａの半分以下である。これにより、フロートピン２０の突起部２１が、スライドプレート１０の空間部１２内に、より一層スムーズに侵入できる。
【００２６】
なお、スライドプレート１０の斜面１０ｅ、面１０ａ、及び、斜面１０ｈで包囲された部分を突起部１１とする。また、スライドプレート１０の斜面１０ｅ、面１０ｃ、及び、斜面１０ｄで包囲された空間を空間部１２とする。
【００２７】
図２は、フロートピン２０の構成を示す図である。図２（ａ）は正面図であり、図２（ｂ）は底面図である。フロートピン２０の下面には、不図示のパンチ等の工具が取り付けられる。そして、フロートピンの上下により、被加工物に対し、穴あけ等の加工が行われる。
【００２８】
図に示すように、フロートピン２０の下面には、図の右から順に、面２０ａ（第３前進面）、斜面２０ｂ（第５斜面）、面２０ｃ（第１後退面）、斜面２０ｄ（第１斜面）、面２０ｅ（第１前進面）、及び、斜面２０ｆ（第３斜面）の順で、各面が連続して配置される。
【００２９】
フロートピン２０は、上面に、スライドプレート１０の下面の１０ａと摺動し、当接する面２０ａを有する。
【００３０】
フロートピン２０は、上面に、スライドプレート１０の下面の斜面１０ｈと摺動し、当接する斜面２０ｂを有する。斜面２０ｂが面２０ａとなす劣角は図中のＢ（第２鋭角）である。
【００３１】
フロートピン２０は、上面に、スライドプレート１０の下面の面１０ａと当接する面２０ｃを有する。面２０ｃの動作方向（図１のＡ方向）の幅は、スライドプレート１０の面１０ａの幅と同一である。面２０ｃは面２０ａと平行である。面２０ｃと面２０ｅは、面２０ｃに平行な方向に一部重複している。面２０ｃは、面２０ａ及び面２０ｅに対して、面２０ａに垂直な方向に、図中の幅ｈだけ後退した位置にある。
【００３２】
フロートピン２０は、上面に、スライドプレート１０の下面の斜面１０ｅとの接触面となる斜面２０ｄを有する。斜面２０ｄは面２０ｃと面２０ｅを接続する。面２０ｃと面２０ｅは、面２０ｃに平行な方向に一部重複しているため、斜面２０ｄは、内側に傾斜面を向けた面となる。斜面２０ｄが面２０ｃと面２０ｅとなす劣角は図中のＡ（第１鋭角）である。
【００３３】
フロートピン２０は、上面に、スライドプレート１０の下面の面１０ｄと摺動し、面１０ｃと当接する面２０ｅを有する。面２０ｅの動作方向（図１のＡ方向）の幅は、スライドプレート１０の面１０ｃの幅と同一である。面２０ｅは面２０ａと面一である。
【００３４】
フロートピン２０は、上面に、スライドプレート１０の下面の斜面１０ｄと摺動し当接する斜面２０ｆを有する。斜面２０ｆが面２０ｅとなす劣角（第２鋭角）は図中のＢである。斜面２０ｂと斜面２０ｆは平行である。
【００３５】
ここで、フロートピン２０の斜面２０ｄと面２０ｃがなす角度（図２のＡ）は、スライドプレート１０の斜面１０ｅと面１０ｃがなす角度（図３のＡ）と同一の鋭角（第１鋭角）である。
【００３６】
また、フロートピン２０の面２０ｂと面２０ｃとがなす角度（図２のＢ）は、スライドプレート１０の面１０ｃと面１０ｄとがなす角度（図３のＢ）と同一の鋭角（第２鋭角）である。
【００３７】
ここで、フロートピン２０の斜面２０ｆ、面２０ｅ、及び、斜面２０ｄで包囲された部分を突起部２１とする。また、フロートピン２０の斜面２０ｄ、面２０ｃ、及び、斜面２０ｂで包囲された空間を空間部２２とする。
【００３８】
シリンダ４０は、エアシリンダ等であり、スライドプレート１０を図１のＡ方向に往復動作させる。付勢部５０は、フロートピン２０をバネ等の弾性体により図１（ａ）の上方向に付勢する。
【００３９】
次に実施形態のパンチ切換装置の動作について説明をする。図４（ａ）は、フロート突出位置のパンチ切換装置の正面図（一部断面図）である。図４（ｂ）は、フロート退避位置のパンチ切換装置の正面図（一部断面図）である。
【００４０】
図４（ｂ）に示すフロート退避位置から、図４（ａ）に示すフロート突出位置へ動作する場合には、シリンダ４０のロッドが図４（ａ）中のＡ方向に突出し、スライドプレート１０を図４（ａ）中のＡ方向（図の右方向）の位置（第１位置）に移動させる。
【００４１】
この場合、スライドプレート１０の斜面１０ｈと１０ｄとが、それぞれ、フロートピン２０の斜面２０ｆと２０ｂと摺動して、斜面間に生ずる反力により、フロートピン２０を図中のＢ方向（図の下方向）に移動させる。
【００４２】
その後、スライドプレート１０の面１０ａと１０ｂとが、それぞれ、フロートピン２０の面２０ａと２０ｅと接触して、フロートピン２０を図４（ａ）に示す位置で保持する。
【００４３】
次に、図４（ａ）に示すフロート突出位置から、図４（ｂ）に示すフロート退避位置へ動作する場合には、シリンダ４０のロッドが図４（ｂ）中のＣ方向に引き込まれ、スライドプレート１０を図４（ｂ）中のＣ方向（図の左方向）の位置（第２位置）に移動させる。
【００４４】
この場合、スライドプレート１０の面１０ａと１０ｂとが、それぞれ、フロートピン２０の面２０ａと２０ｅと摺動し、その後、スライドプレート１０の斜面１０ｈと１０ｄとが、それぞれ、フロートピン２０の斜面２０ｆと２０ｂと摺動する。このときの、付勢部５０の、フロートピン２０への図４（ｂ）の上方向の付勢力により、フロートピン２０を図４（ｂ）中のＤ方向（図の上方向）に移動させる。
【００４５】
その後、スライドプレート１０の面１０ａが、フロートピン２０の面２０ｃと当接し、スライドプレート１０の面１０ｂが、フロートピン２０の面２０ｅと当接し、スライドプレート１０の斜面１０ｈが、フロートピン２０の斜面２０ｂと当接し、スライドプレート１０の斜面１０ｄが、フロートピン２０の斜面２０ｆと当接し、スライドプレート１０の斜面１０ｅ（第２斜面）が、フロートピン２０の斜面２０ｄ（第１斜面）と当接する。
【００４６】
これにより、フロートピン２０を図４（ｂ）中の位置で固定する。このとき、スライドプレート１０の突起部１１と、フロートピン２０の空間部２２とは、上記のような形状であることから、密着して嵌合する。同様に、スライドプレート１０の空間部１２と、フロートピン２０の突起部２１とは、上記のような形状であることから、密着して嵌合する。
【００４７】
ここで、スライドプレート１０の内側に向かう斜面１０ｅが、フロートピン２０の内側に向かう斜面２０ｄと当接することにより、スライドプレート１０の下面とフロートピン２０の上面がくさび構造でかみ合い、固定力が強化され、プレス振動が生じた場合でも、フロートピン２０の誤動作が生じない。
【００４８】
以上説明したように、実施形態のパンチ切換装置によればフロートピンの誤動作を防止できる。さらに、フロートピン上面とスライドプレート下面との摺動のみで、フロートピンの上下各動作や、フロートピンの上下各位置における固定が可能となる。これにより、部品点数の削減によるコスト削減や、装置のシンプル化及び小型化が可能となる。
【符号の説明】
【００４９】
１：パンチ切換装置
１０：スライドプレート
２０：フロートピン
３０：ケーシング
４０：シリンダ
５０：付勢部
【図１】
2019195819.tif 000003
【図２】
2019195819.tif 000004
【図３】
2019195819.tif 000005
【図４】
2019195819.tif 000006
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
第１面に、第１前進面と、前記第１前進面と平行であり、前記第１前進面に垂直な方向に前記第１前進面から所定の距離後退し、前記第１前進面に平行な方向に前記第１前進面と一部重複した第１後退面と、前記第１前進面と前記第１後退面とを接続し、前記第１前進面となす角が所定の第１鋭角である第１斜面と、を有し、突出位置及び退避位置に往復動作可能なフロートピンと、
前記フロートピンの第１面に対向する面に、第２前進面と、前記第２前進面と平行であり、前記第２前進面に垂直な方向に前記第２前進面から前記所定の距離後退し、前記第２前進面に平行な方向に前記第２前進面と一部重複した第２後退面と、前記第２前進面と前記第２後退面とを接続し、前記第２前進面となす角が前記第１鋭角である第２斜面と、を有し、第１位置及び第２位置に往復動作可能なスライドプレートと、
を有し、
前記スライドプレートが前記第１位置で前記フロートピンは突出位置であり、前記スライドプレートが前記第２位置で前記フロートピンは退避位置であり、
前記スライドプレートが前記第２位置で、前記フロートピンの前記第１斜面と、前記スライドプレートの前記第２斜面とが係合し、
前記フロートピンは、前記第１前進面と接続し、前記第１前進面となす角が所定の第２鋭角である第３斜面と、前記第１後退面と接続し、前記第３斜面と平行であり、前記第１後退面となす角が前記第２鋭角である第５斜面と、をさらに有し、
前記スライドプレートは、前記第２前進面と接続し、前記第２前進面となす角が前記第２鋭角である第４斜面と、前記第２後退面と接続し、前記第４斜面と平行であり、前記第２後退面となす角が前記第２鋭角である第６斜面と、をさらに有し、
前記スライドプレートの前記第２位置から前記第１位置への動作時に、前記第３斜面と前記第６斜面が当接し、前記第５斜面と前記第４斜面が当接し、前記フロートピンを前記突出位置の方向へ付勢した、ことを特徴とするパンチ切換装置。
【請求項２】
前記フロートピンは、前記第５斜面と接続し、前記第１前進面と面一である第３前進面を有し、
前記スライドプレートは、前記第６斜面と接続し、前記第２前進面と面一である第４前進面を有し、
前記スライドプレートが前記第１位置で、前記第１前進面と前記第４前進面とが当接し、前記第３前進面と前記第２前進面とが当接し、前記フロートピンを前記突出位置に維持した、請求項１に記載のパンチ切換装置。
【請求項３】
前記第１鋭角は、40°以上80°以下である請求項１または２に記載のパンチ切換装置。
【請求項４】
前記第１鋭角は、50°以上70°以下である請求項１または２に記載のパンチ切換装置。
【請求項５】
前記第１鋭角は、ほぼ60°である請求項１または２に記載のパンチ切換装置。
【請求項６】
前記第２鋭角は、前記第１鋭角より小さい、請求項１から５のいずれかに記載のパンチ切換装置。
【請求項７】
前記第２鋭角は、前記第１鋭角の半分以下である、請求項１から５のいずれかに記載のパンチ切換装置。
【請求項８】
前記スライドプレートを前記第１位置及び前記第２位置に駆動するための駆動部をさらに有する請求項１から７のいずれかに記載のパンチ切換装置。
【請求項９】
前記フロートピンを前記退避位置の方向へ付勢するための付勢部をさらに有する請求項１から８のいずれかに記載のパンチ切換装置。
【請求項１０】
第１面に、第１前進面と、前記第１前進面と平行であり、前記第１前進面に垂直な方向に前記第１前進面から所定の距離後退し、前記第１前進面に平行な方向に前記第１前進面と一部重複した第１後退面と、前記第１前進面と前記第１後退面とを接続し、前記第１前進面となす角が所定の第１鋭角である第１斜面と、を有し、突出位置及び退避位置に往復動作可能なフロートピンと、
前記フロートピンの第１面に対向する面に、第２前進面と、前記第２前進面と平行であり、前記第２前進面に垂直な方向に前記第２前進面から前記所定の距離後退し、前記第２前進面に平行な方向に前記第２前進面と一部重複した第２後退面と、前記第２前進面と前記第２後退面とを接続し、前記第２前進面となす角が前記第１鋭角である第２斜面と、を有し、第１位置及び第２位置に往復動作可能なスライドプレートと、
を有し、
前記スライドプレートが前記第１位置で前記フロートピンは突出位置であり、前記スライドプレートが前記第２位置で前記フロートピンは退避位置であり、
前記スライドプレートが前記第２位置で、前記フロートピンの前記第１斜面と、前記スライドプレートの前記第２斜面とが係合し、
前記第１鋭角は、40°以上80°以下である、パンチ切換装置。
【手続補正２】
【補正対象書類名】明細書
【補正対象項目名】０００７
【補正方法】変更
【補正の内容】
【０００７】
本発明のパンチ切換装置は、第１面に、第１前進面と、第１前進面と平行であり、第１前進面に垂直な方向に第１前進面から所定の距離後退し、第１前進面に平行な方向に第１前進面と一部重複した第１後退面と、第１前進面と第１後退面とに接続し、第１前進面となす角が所定の第１鋭角である第１斜面と、を有し、突出位置及び退避位置に往復可能なフロートピンと、フロートピンの第１面に対向する面に、第２前進面と、第２前進面と平行であり、第２前進面に垂直な方向に第２前進面から所定の距離後退し、第２前進面に平行な方向に第２前進面と一部重複した第２後退面と、第２前進面と第２後退面とに接続し、第２前進面となす角が所定の第１鋭角である第２斜面と、を有し、第１位置及び第２位置に往復可能なスライドプレートと、を有し、スライドプレートが第１位置で、フロートピンは突出位置であり、スライドプレートが第２位置で、フロートピンは退避位置であり、スライドプレートが第２位置の場合に、フロートピンの第１斜面と、スライドプレートの第２斜面とが係合し、フロートピンは、第１前進面と接続し、第１前進面となす角が所定の第２鋭角である第３斜面と、第１後退面と接続し、第３斜面と平行であり、第１後退面となす角が第２鋭角である第５斜面と、をさらに有し、スライドプレートは、第２前進面と接続し、第２前進面となす角が第２鋭角である第４斜面と、第２後退面と接続し、第４斜面と平行であり、第２後退面となす角が第２鋭角である第６斜面と、をさらに有し、スライドプレートの第２位置から第１位置への動作時に、第３斜面と第６斜面が当接し、第５斜面と第４斜面が当接し、フロートピンを突出位置の方向へ付勢している。